(57)【要約】      （修正有）【課題】遊技盤上に開口部を設けることによって強度の低下した遊技盤を補強しつつ、遊技盤上の遊技球の挙動変化の面白みと遊技盤交換の容易性を維持できる弾球遊技機を提供する。【解決手段】遊技盤２を形成する合板を作成する際に、切り欠きのある板材を中心に、切り欠きのない板材を外側に配置するようにして張り合わせることによって、該合板の対称となる両側面に、遊技領域の奥まで達しない深さで凹部１０を設け、該凹部１０に、金属又は樹脂からなる補強部材を挿入してネジ等で固定することによって、遊技盤２を補強し、遊技盤２が折れたり、破損したり、大きく反ってしまったりするのを防ぐ。また、遊技盤取り付け具を介して遊技盤を内枠に取り付けることによって、更に、遊技盤の破損を防ぐ。【選択図】図３
2008229363.tif 000002
【特許請求の範囲】
【請求項１】
合板の表面に装飾シートが貼られ、遊技レール及び装飾部品によって、該装飾シートの上に遊技球が流下するための略円形状に囲まれた遊技領域が構成され、該遊技領域に、釘、入賞口、表示装置が取り付けられた遊技盤を備えた弾球遊技機において、
前記遊技盤を形成する合板の対称となる両側面に、遊技領域の奥まで達しない深さで凹部を設け、該凹部に金属又は樹脂からなる補強部材を取り付けたことを特徴とする弾球遊技機。
【請求項２】
前記遊技盤を形成する合板の凹部を、両側面に凹部を形成するための切り欠きのある板材を中心付近に配置し、両側面に凹部を形成するための切り欠きのない板材を外側に配置して張り合わせることによって形成することを特徴とする、請求項１に記載の弾球遊技機。
【請求項３】
前記補強部材が、前記遊技盤を形成する合板の凹部に収まる大きさで、前記凹部からはみ出さない構成であることを特徴とする、請求項１または２に記載の弾球遊技機。
【請求項４】
前記遊技盤を弾球遊技機に取り付けるための遊技枠を更に備え、
前記補強部材に、該遊技枠側に前記遊技盤を取り付けるための同形状の取り付け部が、奇数または偶数で複数形成され、
該補強部材の取り付け部以外は前記凹部に収まり、取り付け部のみが凹部からはみだし、
該補強部材は遊技盤の両側面のどちらにでも取り付けられるうえ、補強部材を上下反転しても取り付けられるようにしたことを特徴とする請求項１または２に記載の弾球遊技機。
【請求項５】
前記遊技盤を弾球遊技機に取り付けるための遊技枠を更に備え、
前記補強部材は、凸部形状で前記遊技枠に設けた構成であることを特徴とする請求項１または２に記載の弾球遊技機。
【発明の詳細な説明】
【技術分野】
【０００１】
本発明は弾球遊技機に関し、詳しくは、弾球遊技機の遊技盤の対称となる両側面に、遊技領域の奥まで達しない深さで凹部を設け、該凹部に、金属又は樹脂からなる補強部材を取り付けて遊技盤を補強した弾球遊技機に関する。
【背景技術】
【０００２】
パチンコ遊技機の特徴は、遊技球が、遊技盤に設けられた複数の釘や遊技盤自体にあたって発生する遊技球の挙動である。遊技者は、その予測が難しい遊技球の挙動を見て楽しんでいる。【０００３】
しかし、球の挙動だけでは、他の機械との差別化や面白みを出すことに限界があるので最近のパチンコ遊技機では、遊技盤上に大きな液晶表示装置、構造物（可動物等）を配置し、それらによって他の遊技機との差別化を図ったり、面白みを出したりしている。【０００４】
また、従来のパチンコ遊技機の交換方法には、枠替えという遊技機全体を交換する方法と面替えという遊技盤と遊技盤に取り付けられた部品のみを交換する方法があるが、現在では、遊技者が遊技機に飽きてしまう期間が短く、遊技機の交換は数ヶ月ごとに行われているので、費用の安い面替の行われる場合が多い。【０００５】
前述のように、面白みを増すために遊技盤上に大きな液晶表示装置、構造物を配置すると、遊技盤上に大きな開口部を設けることになる。大きな開口部を設けると、遊技盤自体の強度がなくなり、遊技盤が折れたり破損したりすることが多くなってしまっていたほか遊技盤が大きく反ってしまうという現象も起きていた。遊技盤の強度を上げるために以下に記載するような先願があるが、課題を完全に解決できないほか新たな課題が発生してしまう。【０００６】
特開平１１−１５６００６号には、遊技盤の遊技部品を取り付けるための開口部の裏側に補強部材を設け、さらに、遊技盤自体を合成樹脂で形成し、前記補強部材と一体成型にしたりした遊技盤が開示されている。【０００７】
しかし、この発明の構成では、開口部しか補強されず、全体の補強にはならない。また、遊技部品の取り付けが困難になるほか、遊技機の幅（奥行き）が従来のものより広く（大きく）なってしまう。従来、遊技機は遊技店の遊技島という設置場所に取り付けられ、数ヶ月ごとに違う遊技機と交換される。つまり、遊技機を取り付ける遊技島の設置スペースは予め決められており（変更すると莫大な費用が発生する）、そのスペース内に収まる大きさで遊技機を作らなければならないが、この発明の構成にすることで、遊技機の幅が大きくなってしまい、遊技機が遊技島に取り付けられないという事態が発生する可能性がある。【０００８】
また、遊技盤を合成樹脂などで構成すると従来の遊技盤の特性が失われてしまう。従来、遊技盤は合板に装飾シートを貼り付けて構成されている。合板を使用することで、遊技球が遊技盤に当ったときの遊技球の跳ね返り方向やスピードが一定にならないようにしている。また、合板の性質上、温度や湿度による影響を受けやすく、日によって遊技球の挙動に変化が出やすい。パチンコ遊技機は遊技球の挙動を見て楽しむものであり、その遊技球の挙動の変化が少なくなるとパチンコ遊技機自体の面白みも半減する。【０００９】
特開２００２−３０１２１１号には、装飾シートと木板本体部との間に金属板等の強靭な素材からなる障害釘引き抜き用の分離板を介入して構成した遊技盤が開示されている。
この発明は、障害釘の抜き取りを容易にするためのものであり、目的は異なるが、この発明の構成にすることで遊技盤の補強は可能になる。しかし、上記の先願（特開平１１−１５６００６号）と同様に、遊技球の挙動変化の面白さという従来の遊技盤の特性が失われてしまう。【００１０】
特開平７−０２４１１０号には、装飾用シートと基材との間に導電性シートを挟んで遊技盤を構成し、該遊技盤の側縁部にはアルミなどの金属で形成された遊技盤の保護及び装飾を兼ねたサイドプレートを設けた遊技盤が開示されている。【００１１】
この発明の構成は、静電気の除去等を目的とするものであり、目的は異なるが、本発明の構成と類似し、結果的に多少、遊技盤の補強にもなる。しかし、遊技盤の補強として完全でないほか、遊技盤の大きさが大きくなってしまう。従来、遊技機の交換は枠替えという遊技機全体を交換する方法と面替えという遊技盤と遊技盤に取り付けられた部品のみを交換する方法がある。現在では、遊技者が遊技機に飽きてしまう期間が短く、遊技機の交換は数ヶ月ごとに行われている。数ヶ月ごとに遊技機を交換すると莫大な費用が発生するので遊技店では少しでも安く交換できるように面替えの方法をとっている。遊技盤の大きさが変わってしまったら、面替えが出来なくなってしまうので遊技機全体を交換しなければならず、莫大な費用が発生する。
【特許文献１】特開平１１−１５６００６
【特許文献２】特開２００２−３０１２１１
【特許文献３】特開平７−０２４１１０
【発明の開示】
【発明が解決しようとする課題】
【００１２】
本発明は、上記点に鑑みて提案されたものであって、遊技盤上に開口部を設けることによって強度の低下した遊技盤を補強しつつ、遊技盤上の遊技球の挙動変化の面白みと遊技盤交換の容易性を維持できる弾球遊技機を提供することを目的とする。
【課題を解決するための手段】
【００１３】
前記課題を解決するため、請求項１に記載の弾球遊技機は、合板の表面に装飾シートが貼られ、遊技レール及び装飾部品によって、該装飾シートの上に遊技球が流下するための略円形状に囲まれた遊技領域が構成され、該遊技領域に、釘、入賞口、表示装置が取り付けられた遊技盤を備えた弾球遊技機において、前記遊技盤を形成する合板の対称となる両側面に、遊技領域の奥まで達しない深さで凹部を設け、該凹部に金属又は樹脂からなる補強部材を取り付けたことを特徴とする。遊技領域の奥まで達しない深さで凹部を設けるとは、正面から凹部を透かして見たときに、図３（ｂ）で示すように、凹部１０の範囲と、遊技領域９となる範囲９ａとが重ならないことを意味する。装飾フィルムは、一般的には合成フィルムを使用する。【００１４】
請求項２に記載の弾球遊技機は、前記遊技盤を形成する合板の凹部を、両側面に凹部を形成するための切り欠きのある板材を中心付近に配置し、両側面に凹部を形成するための切り欠きのない板材を外側に配置して張り合わせることによって形成されることを特徴とする。つまり、凹部は、合板になってから削るなどして形成するのではない。【００１５】
請求項３に記載の弾球遊技機は、前記補強部材が、前記遊技盤を形成する合板の凹部に収まる大きさで、前記凹部からはみ出さない構成であることを特徴とする。
請求項４に記載の弾球遊技機は、前記遊技盤を弾球遊技機に取り付けるための遊技枠を更に備え、前記補強部材に、該遊技枠側に前記遊技盤を取り付けるための同形状の取り付け部が、奇数または偶数で複数形成され、該補強部材の取り付け部以外は前記凹部に収まり、取り付け部のみが凹部からはみだし、該補強部材は遊技盤の両側面のどちらにでも取り付けられるうえ、補強部材を上下反転しても取り付けられるようにしたことを特徴とする。【００１６】
補強部材を、遊技盤の両側面のどちらにでも、また、上下反転しても取り付けられるとは、どのように取り付けても、遊技盤と遊技盤が取り付けられるための遊技枠の内枠との位置関係が変わらないということである。また、取り付け部は、奇数個でも偶数個でもよい。【００１７】
請求項５に記載の弾球遊技機は、前記遊技盤を弾球遊技機に取り付けるための遊技枠を更に備え、前記補強部材は、凸部形状で前記遊技枠に設けた構成であることを特徴とする。この場合、補強部材は、当然、遊技盤の凹部には収まる必要はない。また、請求項４に記載するような取り付け部もなく、補強部材全体が取り付け部となっている。
【発明の効果】
【００１８】
請求項１に記載の発明によれば、遊技球の挙動変化の面白みという、合板製の遊技盤を有する弾球遊技機の特性を維持しつつ、大きな表示装置を設けても、遊技盤が破損したり大きく反ったりしないように、遊技盤の強度を上げることが出来る。また、遊技盤の両側面部の凹部が遊技領域の奥まで達しない深さであるため、補強部材を取り付けたあとに、遊技盤に釘を打ったり、表示装置を取り付けたりすることが出来るようになる。（補強部材のない状態で遊技盤に釘を打ったり、表示装置を取り付けたりすると、遊技盤に大きな負荷がかかり、破損する可能性が高い。）
請求項２に記載の発明によれば、容易に遊技盤両側面部の凹部が形成できるようになる。【００１９】
請求項３に記載の発明によれば、補強部材を取り付けても遊技盤の大きさが変わらないため、今まで使用していた枠側の部品をそのまま使用し続けることが出来る。（枠側の部品を新たに変更しなくてもすむ。）
請求項４に記載の発明によれば、複数種類の在庫を持たないでもすむほか取り付けの際に間違って取り付けることもなくなる。また、合板自体に取り付け部を形成すると（例えば合板に取り付け穴などを設ける）、遊技盤を枠部品から何度も取り外した場合、取り付け部（遊技盤）が破損してしまうが、金属又は合成樹脂で形成された補強部材に取り付け部を形成することで遊技盤を枠部品から何度も取り外しても破損し難くなる。（なお、遊技盤から補強部材を頻繁に取り外すことはない。）
請求項５に記載の発明によれば、遊技盤を遊技枠側に容易に取り付けることができるほか、頑丈に取り付けることができる。また、遊技盤の強度も一層上がり、取り付け誤差もなくなる。
【発明を実施するための最良の形態】
【００２０】
以下、本発明の各実施形態を、図面を参照して説明する。
（第１実施形態）
図１は、本発明の第１実施形態の弾球遊技機１を示しており、弾球遊技機１には、遊技盤２、遊技枠の外枠３、遊技枠の内枠４、前枠を開閉させるためのヒンジ５、遊技盤取り付け金具６等が備えられている。図１では、本実施形態に関係のない構成要素については図示が省略されている。また、その他の構成要素については、従来の弾球遊技機と同様であるので、説明を省略する。【００２１】
図２は、遊技盤２の部分を拡大した図である。遊技盤２は合板製で、表面には合成フィルムの装飾シートが張られている。装飾シートの上には、遊技レール７及び請求項１に記載する「装飾部品」に該当するコーナー飾り８等で囲まれた、遊技球が流下するための略円形状の遊技領域９が構成されている。該遊技領域には、釘、入賞口、表示装置等が取り付けられているが、従来の弾球遊技機と同様であるので、これらについての説明は省略する。また、遊技盤の右上部と、右下部には、遊技盤取り付け具６が取り付けられている。【００２２】
図３（ｂ）は、遊技レール、コーナー飾り、釘、入賞口、表示装置等の取り付けられていない状態の遊技盤２の正面図である。二点鎖線の略円形で囲まれているのは、弾球遊技機として組み立てられたときに遊技領域９となる範囲９aである。遊技盤２の対称となる両側面の中央部には、上下方向に細長い直方体状の凹部１０が設けられている。凹部１０の深さは、遊技領域９となる範囲９aの奥までは達しないように設定される。つまり、図３（ｂ）のように正面から透かしてみた場合に、遊技領域９となる範囲９ａと凹部１０の範囲とが重ならないように、凹部１０の深さが設定されている。図３（ａ）は、図３（ｂ）の左側側面図であり、遊技盤２には、側面視で中央部に、上下方向に細長い凹部１０が形成されている。図３（ｃ）は、図３（ｂ）の右側側面図であり、やはり、側面視で中央部に、上下方向に細長い凹部１０が形成されている。図３（ｃ）の円で囲まれた部分Ａ、Ｂ、Ｃをそれぞれ拡大した詳細図である図４（ａ）、（ｂ）、図３（ｄ）に示すように、遊技盤２は、ブナ5枚、ラワン５枚の計１０枚の板材（２a、２ｂ、２ｃ、２ｄ、２ｅ、２ｆ、２ｇ、２ｈ、２ｉ、２ｊ）を張り合わせた合板からなっている。（ブナ、ラワン、ブナ、ラワンのように交互に張り合わされている。）なお、各板材の厚さは約２ｍｍであり、合板の厚さＷ１は、約２ｍｍ×１０枚で約２０ｍｍ、遊技盤２の厚さは、合板の厚さＷ１に合成フィルム１１の厚さ（約１ｍｍ）を加えた厚さになっている（図３（ｄ）参照）。【００２３】
また、図５および図６に記載されているように板材（２ａ〜２ｊ）の中には、凹部を形成するための上下方向に細長い長方形の切り欠き１０ａが両側面の中央部にあるもの（図６参照）と切り欠きが無いもの（図５参照）があり、切り欠き１０ａがある板材２ｄ〜２ｇを中央部分に、切り欠きがない板材２ａ〜２ｃ、２ｈ〜２ｊを外側に配置するように張り合わすことで、凹部１０を形成している。【００２４】
凹部１０の幅Ｗ２は、切り欠きがある４枚の板材２ｄ〜２ｇの幅の合計、つまり、約２ｍｍ×４枚で約８ｍｍである（図４（ａ）、（ｂ）参照。）なお、合成フィルム（装飾フィルム）１１には、遊技機のイメージに合ったデザインやキャラクターなどの絵が描かれている。【００２５】
図８は補強部材１２を表した図であり、左側の図は正面図、右側の図は側面図になっている。補強部材１２の形状は、上下に細長い直方体であり、補強部材１２を遊技盤２に固定するためのネジ穴１２ａが数箇所に設けられている。補強部材１２の寸法は、図７（ｂ）に記載されるように、補強部材１２を遊技盤２に取り付けたときに、遊技盤２から飛び出さない（凹部１０からはみださない）ような寸法に設定されている。補強部材１２は、図７（ａ）に示すように、補強部材１２を遊技盤２の側方から凹部１０に差し込むようにして嵌め込んだ後、ネジ１２ｂによって遊技盤２に固定される。図７（ｂ）は、図７（ａ）中の円で囲んだ部分Ｄの、補強部材１２取り付け後の詳細図である。【００２６】
なお、この実施例では、遊技盤２に補強部材１２を固定する方法は、図８の下図に記載されているように、ネジ１２ｂによって固定するようになっているが、そのネジも遊技盤２から飛び出さないように、穴１２ａはネジ頭が入るような形状にされている。【００２７】
補強部材１２を遊技盤２に固定する方法はネジ止めに限るわけではなく、どのような方法でもよい。
図９（ａ）は、遊技盤２を遊技枠の内枠４に取り付けるための遊技盤取り付け具６を表した図であり、左側の図は背面図、真中の図は側面図、右側の図は正面図になっている。また、図９（ａ）には図示されていないが、上から見ると、遊技盤２を挟むことができるようなコの字状になっている。図９(ａ)に示すように、遊技盤取り付け具６の背面側には、内枠４のボス部４ａと嵌合するための円形の穴６ａが形成されており、正面側には、蝶ナット風のもの４ｃを通すための、上下に細長い形状の穴６ｂが形成されている。遊技盤２を内枠４に取り付けるためには、まず、図９（ｂ）に示すように、遊技盤取り付け具6で遊技盤２を挟むようにして遊技盤取り付け具6を遊技盤２に取り付ける（遊技盤取り付け具６は、遊技盤２の右上部と右下部の２箇所に取り付けられるが、図９（ｂ）は、右上部に取り付けた方の図である）。その後、図９（ｃ）に示すように、遊技盤取り付け具６の背面の穴６ａを内枠のボス部４ａ（円柱状）に差し込み、ボス部４ａの先端に設けられたネジ４ｂの頭に取り付けられた蝶ナット風のもの４ｃを、穴６ｂを通した後に９０度回転させることによって締めて、遊技盤２を内枠４に固定する。挿入および固定を容易にするため、遊技盤取り付け具６に設けられている穴６ａも内枠４のボス部４ａも、内枠４側の方がやや広がったテーパー状になっている。【００２８】
図１は、遊技盤２を内枠４に固定した際の弾球遊技機１の全体図であり、図１に記載されているように、上記ボス部４ａが内枠４の右上部と右下部に２箇所あり、この２箇所のボス部４ａと、遊技盤２の右上部と右下部に取り付けられた遊技盤取り付け具６を前述の方法で固定することによって、遊技盤２を内枠４に固定する。【００２９】
本発明の第１実施形態によれば、遊技盤の表面（合成フィルムの下地）を合成樹脂や金属で構成することによって遊技盤２を補強するのではなく、遊技盤２の両側面部に設けた凹部１０に取り付けた補強部材１２によって補強するので、遊技球の挙動変化の面白さという合板製の遊技盤を有する弾球遊技機の特性を維持しつつ、大きな表示装置を設けても遊技盤２の強度を上げることが出来る。また、遊技盤２の両側面部の凹部１０が遊技領域９の奥まで達しない深さであるため、補強部材１２を取り付けたあとに、遊技盤２に釘を打ったり、表示装置を取り付けたりすることが出来るようになる。（補強部材１２のない状態で遊技盤２に釘を打ったり、表示装置を取り付けたりすると、遊技盤２に大きな負荷がかかり、破損する可能性が高い。）
また、切り欠き１０ａのある板材２ｄ〜２ｇを中央に、切り欠きの無い板材２ａ〜２ｃ，２ｈ〜２ｊを外側に配置して張り合わすことによって凹部１０を形成するので、合板になってから削る必要がなく、遊技盤２の凹部１０を容易に形成することができる。【００３０】
また、補強部材１２の寸法を、遊技盤２の凹部１０に取り付けたときに、凹部１０に収まり、凹部１０からはみださない寸法に設定することにより、補強部材１２を取り付けても遊技盤２の大きさが変わらないため、今まで使用していた内枠４等の枠側の部品をそのまま使用し続けることが出来る。（枠側の部品を新たに変更しなくてもすむ。）
さらに、遊技盤２自体に取り付け部を形成すると（例えば遊技盤に取り付け穴などを設けると）、遊技盤２を内枠４等の枠部品から何度も取り外した場合、取り付け部（遊技盤）が破損してしまうが、金属又は合成樹脂で形成された遊技盤取り付け具６を介して遊技盤２を内枠４のボス部４ａに取り付けることにより、遊技盤２を内枠４から何度も取り外ししても破損し難くなる。（なお、遊技盤２から遊技盤取り付け具６を頻繁に取り外すことはない。）
（第２実施形態）
図１０（ａ）は、第２実施形態の補強部材１１２を示しており、左側の図は正面図、右側の図は側面図になっている。なお、第２実施形態の構成部品に関しては、第１実施形態に係る図中の符号を１００番台に置き換えるものとし、第１実施形態と同様の構成部品についてはその説明を援用する。第２実施形態の補強部材１１２も、図８に記載した第１実施形態の補強部材１２同様、本体部分の形状は上下方向に細長い直方体で、遊技盤１０２に固定するためのネジ穴が設けられているが、第１実施形態の補強部材１２とは異なり、遊技盤１０２を遊技枠の内枠１０４に取り付けるための取り付け部１０６（図１０（ａ）の場合は２個）が一体に形成されている。なお、取り付け部１０６は最低２箇所以上設ける方がよい。また、取り付け部１０６は奇数個設けても偶数個設けてもよいが、いずれの場合でも、取り付け部１０６の配置は、補強部材１１２を上下逆にしても取り付くように決定されている。（例え、補強部材１１２を上下逆に取り付けても内枠１０４と遊技盤１０２の位置関係が変わらないようになっている。）また、補強部材１１２を、遊技盤１０２の右側面に取り付けても左側面に取り付けても同様に問題ない構成になっている。（同様に内枠と遊技盤の位置関係は変わらない。）図１０（ｂ）および図１０（ｃ）は、図１０（ａ）の変形例であり、それぞれ、３個および４個の取り付け部１０６が、補強部材１１２に一体に形成されている。【００３１】
図１１（ａ）は図１０に記載した補強部材１１２を遊技盤１０２に取り付けた図であり、上の図は正面図、下の図は底面図になっている。第２実施例の補強部材１１２も、第１実施例同様、補強部材１１２を側方から凹部１１０（図示略）に挿入するようにして遊技盤１０２に取り付け、ネジ等で固定する。図に記載されているように、補強部材１１２のほとんど（本体部）は遊技盤に収まり、取り付け部１０６のみが遊技盤１０２からはみ出すようになっている。【００３２】
図１１（ｂ）は、補強部材１１２を取り付けた遊技盤１０２を内枠１０４に取り付ける方法を示した図である。取り付け具１０６の穴１０６ｂに、内枠１０４のボス部１０４ａの先端に設けられたネジ１０４ｂの頭に取り付けられた蝶ナット風のもの１０４ｃを通した後に１０４ｃを９０度回転させて締め、遊技盤１０２を内枠１０４に固定する。【００３３】
本発明の第２実施形態によれば、補強部材１１２と取り付け部１０６が一体に形成されているので、複数種類の在庫を持たないでもすむ。また、補強部材１１２を遊技盤１０２に取り付ける際に、上下逆に取り付けても、左右逆に取り付けても、内枠１０４と遊技盤１０２の位置関係が変わらないように、取り付け部１０６を配置しているので、取り付けの際に間違って取り付けることもなくなる。また、金属又は合成樹脂で形成された補強部材１１２に取り付け部１０６を形成することにより、遊技盤１０２自体に取り付け部を形成しなくてもすむので、遊技盤１０２を内枠１０４から何度も取り外しても破損し難くなる。（なお、遊技盤１０２から補強部材１１２を頻繁に取り外すことはない。）
（第３実施形態）
第３実施形態では、第１実施形態の補強部材１２及び第２実施形態の補強部材１１２に対応する補強部材２１２が、遊技枠の内枠と一体に形成された構成となっている。なお、第３実施形態の構成部品に関しては、第１実施形態に係る図中の符号を２００番台に置き換えるものとし、第１実施形態と同様の構成部品についてはその説明を援用する。【００３４】
第３実施形態は、遊技盤の凹部に嵌合する凸部を、内枠と一体に形成した構成としている。図１２は第３実施形態の遊技盤２０２を示しており、真中の図は正面図、左側の図は左側面図、右側の図は右側側面図、上側の図は平面図になっている。図１２に記載されているように、遊技盤２０２には、幅Ｗ２０２の凹部２１０が、遊技盤の両側面全域に設けられている。【００３５】
図１３に記載されているように、第３実施形態の内枠２０４は、上面部分が開いたコの字状に形成されており（ただし、これに限るわけではなく、内枠の上面部分が開く構成や取り外しができる構成であれば、どのような形状でもよい）、内枠２０４の両側面部分には、内向きに伸び出す細長い直方体状で凸部状の補強部材２１２が設けられている。補強部材２１２は、幅Ｗ２の凹部２１０に挿入可能な寸法に設定する。なお、図１３の上側の図は、内枠２０４の平面図、下側の図は、内枠２０４の正面図である。【００３６】
図１４は遊技盤２０２を内枠２０４に取り付けた図である。遊技盤２０２は、内枠２０４の上面から凹凸を合わせて差し込むようにして取り付けられる。図１４からわかるように、当然、補強部材２１２は遊技盤２０２に収まる必要はなく、また、補強部材２１２全体で遊技盤２０２と内枠２０４を取り付けた構成となっている。【００３７】
本発明の第３実施形態によれば、遊技盤２０２を差し込むだけでよいので、遊技盤２０２を遊技枠の内枠２０４に容易に取り付けることができる。さらに、遊技盤２０２の両側面の全領域に補強部材２１２が挿入されることになるので、頑丈に取り付けることができ、また、遊技盤２０２の強度も一層上がり、取り付け誤差もなくなる。
【図面の簡単な説明】
【００３８】
【図１】本発明を採用した第１実施形態のパチンコ機１を示す正面図である。
【図２】第１実施形態のパチンコ機１の遊技盤２を示す正面図である。
【図３】（ｂ）は、遊技レール、コーナー飾り、釘、入所口、表示装置等の取り付けられていない状態の遊技盤２の正面図、（ａ）は（ｂ）の左側側面図、（ｃ）は（ｂ）の右側側面図であり、（ｄ）は、（ｃ）中の円で囲まれた部分Ｃを拡大した詳細図である。
【図４】（ａ）は、図３（ｃ）中の円で囲まれた部分Ａの拡大詳細図、（ｂ）は、図３（ｃ）中の円で囲まれた部分Ｂの拡大詳細図である。
【図５】遊技盤２を形成するための板材のうち、切り欠きがない板材の正面図。
【図６】遊技盤２を形成するための板材のうち、切り欠きがある板材の正面図。
【図７】（ａ）は、遊技盤２に補強部材１２を取り付ける方法を示す図であり、（ｂ）は、補強部材１２を取り付けた後の（ａ）中の円で囲まれた部分Dの拡大詳細図である。
【図８】補強部材１２の正面図と側面図及び円で囲まれた部分の拡大図である。
【図９】(ａ)は、遊技盤取り付け具６の背面図、側面図および正面図であり、（ｂ）は、遊技盤取り付け具６を遊技盤２に取り付ける方法を示した図であり、（ｃ）は、遊技盤取り付け具６を内枠４に固定する方法を示す図である。
【図１０】（ａ）は、第２実施形態の補強部材１１２の正面図および側面図、（ｂ）および（ｃ）は、（ａ）の変形例を示す図である。
【図１１】（ａ）は、補強部材１１２を取り付けた遊技盤１０２の正面図および底面図、（ｂ）は、補強部材１１２を取り付けた遊技盤１０２を内枠１０４に取り付ける方法を示す図である。
【図１２】第３実施形態の遊技盤２０２の正面図、左側側面図、右側側面図および平面図である。
【図１３】第３実施形態の内枠２０４の平面図および正面図である。
【図１４】遊技盤２０２を内枠２０４に取り付けた、平面図および正面図である。
【符号の説明】
【００３９】
１…パチンコ機    ２、１０２、２０２…遊技盤    ３…外枠
４、１０４、２０４…内枠    ４ａ、１０４ａ…内枠のボス部
５…前枠を開閉させるためのヒンジ    ６…遊技盤取り付け具、    １０６…取り付け部
７…遊技レール    ８…コーナー飾り    ９…遊技領域    １０、１１０、２１０…凹部
１１…合成フィルム    Ｗ１…合板の幅    Ｗ２、Ｗ２０２…凹部の幅
２ａ〜２ｊ…板材    １２、１１２、２１２…補強部材
【図１】
2008229363.tif 000003
【図２】
2008229363.tif 000004
【図３】
2008229363.tif 000005
【図４】
2008229363.tif 000006
【図５】
2008229363.tif 000007
【図６】
2008229363.tif 000008
【図７】
2008229363.tif 000009
【図８】
2008229363.tif 000010
【図９】
2008229363.tif 000011
【図１０】
2008229363.tif 000012
【図１１】
2008229363.tif 000013
【図１２】
2008229363.tif 000014
【図１３】
2008229363.tif 000015
【図１４】
2008229363.tif 000016